(57)【特許請求の範囲】
【請求項１】
フィルムの各画像のビデオデータは記憶装置に一連の単方向画像、双方向画像、及びイントラ符号化画像として記憶され、フィルム再生装置の高速サーチ動作用の画像シーケンスを生成する方法であって、
上記画像のビデオデータは、標準の再生動作と比べて増加した速度で記憶装置から読み出され、
上記画像のビデオデータは、復号化器において増加した速度で全部分が復号化され、
特定の各画像のビデオデータだけが上記復号化されたビデオデータから選択され、標準速度で動作する符号化器に供給され、
かくして符号化された上記ビデオデータが高速サーチ動作用の画像シーケンスに利用されることを特徴とする方法。
【請求項２】
ｎは数を表わし、特に、２以上の自然数を表わす場合に、上記画像のビデオデータは標準の再生モードのｎ倍に増加した速度で上記記憶装置から読み出され、
上記復号化器は同様に標準の再生モードのｎ倍に増加した速度で作動され、
増加した速度で復号化された上記ビデオデータは、倍率ｎによる時間域の副標本化によって削減される請求項１記載の方法。
【請求項３】
上記倍率ｎによる副標本化を行う場合に、ｎ番目の画像毎の復号化された上記ビデオデータだけが上記符号化器に送られる請求項２記載の方法。
【請求項４】
特定の数の画像の復号化された上記ビデオデータは、高速巻戻しのため緩衝処理され、逆向きに副標本化される請求項１乃至３のうちいずれか１項記載の方法。
【請求項５】
上記特定の数の画像は、１２フレームのシーケンスに関係する請求項４記載の方法。
【請求項６】
最後に復号化された画像から始まり、逆向きに動作する副標本化の間に、特定の各画像の上記ビデオデータは、逆の時間順で上記符号化器に供給される請求項４又は５記載の方法。
【請求項７】
上記ビデオデータは、ＭＰＥＧ１又はＭＰＥＧ２規格に準拠して符号化及び復号化される請求項１乃至６のうちいずれか１項記載の方法。
【請求項８】
記憶装置と、上記記憶装置に一連の単方向画像、双方向画像、及びイントラ符号化画像として記憶されたビデオデータを復号化する復号化器とからなる装置であって、
ｎが数を表わし、特に、２以上の自然数を表わす場合に、標準の再生モードの速度のｎ倍の速度で上記ビデオデータを読み出す手段と、
上記読み出されたビデオデータの全部分をｎ倍の速度で復号化する復号化器と、
上記復号化されたビデオデータから、ｎ番目の画像毎のビデオデータだけを選択する副標本化器と、
上記選択された画像の上記ビデオデータを標準速度で符号化する符号化器とが更に設けられたことを特徴とする請求項１乃至７のうちいずれか１項記載の方法を実行する装置。
【請求項９】
特定の数の画像の復号化された各ビデオデータを受けるバッファを有し、
最後に復号化された画像から始めて、逆の時間順にｎ番目の画像毎の上記ビデオデータが上記符号化器で得られるようにする手段が更に設けられた請求項８記載の装置。
【発明の詳細な説明】
【０００１】
【発明の属する技術分野】
本発明は、フィルム再生装置の高速サーチ動作用の画像シーケンスの生成方法に係る。
【０００２】
【従来の技術】
現在、所謂ＶＯＤ（ビデオ・オン・デマンド・サービス）が開発され、このサービスの場合、テレビジョンセットの利用者は、戻りチャネルを介してビデオ・オン・デマンド・サービスの提供者に接続される。この戻りチャネルにより、利用者は、選択された放送及び／又はフィルムを要求する。選択されたフィルムは、次に、対応するデータ伝送チャネルによって、ビデオ・オン・デマンド・サービス提供者から加入者に送信される。
【０００３】
上記サービスの利用者は、屡々、所謂トリックモードを要求する。トリックモードは、早送り及び巻戻し方向の高速サーチと、ポーズ機能と、スローモーション機能とに関係する。これらのトリックモードは、通常のビデオレコーダにより知られている。トリックモードの要求は、例えば、テレビジョンセットのリモートコントロールを用いて行われ、戻りチャネルを介してビデオ・オン・デマンド・サービスの提供者に送信される。トリックモードのポーズ及びスローモーションは、最後に復号化された画像を連続的に送信、或いは、何回も繰り返すことにより比較的容易に実現されるが、トリックモードの高速早送り及び巻戻しの実現はかなり難しい。
【０００４】
【発明が解決しようとする課題】
本発明の目的は、ビデオ・オン・デマンド・サービス提供装置及びフィルム再生装置において、上記トリックモードサービスを利用可能にすることである。
【０００５】
【課題を解決するための手段】
上記本発明の目的は、請求項１に記載された方法により達成される。ビデオ・オン・デマンド・サービスの提供者は、選択可能な番組及びフィルムが入手できるような所謂ビデオサーバを使用する。ビデオサーバは、本質的に、ビデオデータが記憶された１台又は多数のハードディスクにより構成される。この目的のため、ビデオデータは、例えば、従来技術により提案されたＭＰＥＧ規格（動画像専門家グループ）のＭＰＥＧ１又はＭＰＥＧ２方式に従ってディジタル的に符号化される。
【０００６】
必要とされる高データ圧縮を得るため、シーケンスの各画像は、ＭＰＥＧ２規格に従って別々に符号化される。イントラ符号化画像（Ｉフレーム）と、一方向予測画像（Ｐフレーム）と、双方向予測画像（Ｂフレーム）の区別が付けられる。
しかし、イントラ符号化画像は、一方向又は双方向予測画像よりも多くのハードディスク記憶容量を必要とする。イントラ符号化画像は、前又は次の画像と無関係に復号化することができるが、一方向予測画像の復号化には、前のイントラ符号化又は一方向予測画像が必要とされる。前のイントラ符号化、又は、一方向予測画像と、次の一方向予測画像、又は、一方向予測画像の双方は、双方向予測画像に必要とされる。Ｉ符号化、Ｐ符号化及びＢ符号化画像のシーケンスは、ＭＰＥＧ１又はＭＰＥＧ２規格に従って、かなりの範囲で自由に調整可能である。しかし、従来、３枚の一方向符号化画像がイントラ符号化画像の後に続き、２枚の一方向符号化画像の間と、イントラ符号化画像と一方向符号化画像の間に、夫々、２枚の双方向符号化画像が記憶されたスキームの方が有利であることが示されている。このシーケンスは図７に示される。１２枚のフレームからなる上記のシーケンスは、記録中に定期的、典型的に略０．５秒毎に繰り返される。
【０００７】
ＭＰＥＧ規格に準拠して符号化された画像において高速早送りを実現するため、アナログビデオレコーダにより提案されたような技術は、大量のデータ圧縮に起因して適用されない。例えば、イントラ符号化画像だけを利用者に送信することにより得られる１２の倍数で再生速度が増加する実現可能な手段は、ビデオシーケンスを符号化する際に多数のビットがイントラ符号化画像の符号化のため必要とされるので、問題がある。従って、上記の高速早送りの場合に、イントラ符号化画像だけの送信が望まれるとしても、画像毎のビット数が上記画像の場合の平均よりもかなり大きいため、利用可能な広帯域ケーブル、及び、所望のチャネル数で実現することができない。
【０００８】
【発明の実施の形態】
別の実現可能な方法は、標準の再生速度のためＭＰＥＧ規格に従って生成された上記のビットストリームと共に、時間域で既に副標本化されたシーケンスから得られる第２のビットストリームを使用し、更に、上記第２のビットストリームを記憶媒体上に記憶することである。高速早送りが要求される場合には、このビットストリームに切換えられる。しかし、上記の方法は、付加的な記憶空間が、非常に稀にしか使用されないサービスのため使用し尽くされるという欠点がある。
【０００９】
一方、従属項に記載された特徴を有する本発明の方法によれば、上記のトリックモード（高速早送り、高速巻戻し、ポーズ及びスローモーション）は、維持できるコストで実現可能である。特に、あらゆる所望の速度で、ある程度の高速早送り又は高速巻戻しを行うことが可能である。３倍又は１２倍のような個々の選択された速度だけではなく、５倍、９倍又は１０倍等の速度を実現することができる。このようにして実現されたトリックモードは、非常に優れた画質を生成する利点を更に有する。
【００１０】
最初の請求項に記載された上記方法の有利な展開及び改良は、従属項に示された手段により実現される。特定の数の画像の復号化されたビデオデータが緩衝処理され、逆向きに副標本化される請求項４に記載された手段は、特に有利である。これにより、トリックモード機能の高速巻戻しが可能になる。
上記方法を実行する装置の有利な手段が請求項８及び９に記載される。請求項１０及び１１による方法は、フィルム再生装置（例えば、ビデオディスクプレーヤ）に非常に簡単に実現できる利点が得られる。
【００１１】
【実施例】
以下、添付図面を参照して本発明の実施例を詳細に説明する。図１を参照するに、本発明の方法を実現するためビデオ・オン・デマンド・サービス提供者により必要とされる全ての構成部品が参照番号１０で示される。上記の全構成部品１０は、後で詳細に説明する。図２には、別々の利用者により使用されるテレビジョンセット２６と、セット・トップ・ボックスという名前でよく知られた復号化器２５とが示される。データチャネル２７は、ビデオ・オン・デマンド・サービス提供者から各利用者にビデオデータを伝送する。データチャネル２８は、逆向き、即ち、各利用者からビデオ・オン・デマンド・サービス提供者にデータを伝送する。以下の説明で、データチャネル２７は往きチャネルと呼ばれ、データチャネル２８は戻りチャネルと呼ばれる。スイッチングマトリクス２４は、入力側にある各データチャネル１３と、出力側に接続されたデータチャネル２８の間で切り換わる。スイッチングマトリクス２４は、例えば、従来技術により良く知られた交換器に接続される。ＩＳＤＮ（統合サービスディジタル網）方式スイッチングシステムを一例として説明する。
【００１２】
構成部品１０に含まれるハードディスク１１は、非常に大きい記憶容量を有する。提供された各テレビジョン番組及び／又はビデオフィルムは、上記のハードディスク上に記憶される。上記例の場合に、複数のフィルム及び／又は番組が１台のハードディスクに記憶される。上記例の場合、７個の異なる番組及び／又はビデオフィルムが各ハードディスクに記憶される。各ハードディスクのデータ伝送レートは非常に高く、その結果として、ハードディスク１１は、時分割多重化処理後、提供されたフィルム及び／又は番組のデータをデマルチプレクサ１２に与える。デマルチプレクサ１２は、各デマルチプレクサがその入力にあるデータを時間的に正しい点で正しいデータチャネル１３に割り当てるような態様で設計される。勿論、この手段を用いて、同一データを複数のデータチャネル１３に供給してもよい。個々のデータチャネル１３は、図１において、簡単化の目的のためだけに組み合わされて示され、末端が並列バスになる。各データチャネル１３は、別々に存在し、スイッチングマトリクス２４の中を別々に通過する。
【００１３】
並列又は直列バス１４は、スイッチングマトリクス２４から制御装置１７に至る。並列バス１４は、個別の戻りチャネル２８により構成される。従って、利用者のサービス要求が制御装置１７に到達する。到達した要求に基づいて、制御装置１７は直列バス２２を介してスイッチングマトリクス２４を制御する。制御装置１７は、特に、どのデータチャネル２７がデータチャネル１３に接続されるべきであるかをスイッチングマトリクス２４に通知する。
【００１４】
トリックモードを実現するため、特殊なデータライン１５が各デマルチプレクサ１２に接続される。上記データライン１５はマルチプレクサ１６に通じる。マルチプレクサ１６の出力は復号化器１８に接続される。データがＭＰＥＧ規格に従ってハードディスク１１上に記憶された場合に、復号化器１８は、同様にＭＰＥＧ方式の復号化器である。しかし、上記の復号化器は、直列バスの制御下で、通常の再生モードにおいて、復号化器２５よりも高い速度で動作するという特別の特徴を有する。しかし、このことは以下で詳細に説明される。副標本化器１９はバッファ２０を含む。副標本化器１９は、直列バス２２を介して制御装置１７により制御される。副標本化器１９は、一方の側で符号化器２１に接続される。符号化器２１は、ＭＰＥＧ１又はＭＰＥＧ２規格に従って動作する。しかし、復号化器２１は、通常の再生モードにおいて復号化装置２５と同じ動作速度で動作する。このようにして符号化されたデータは、更なるデータチャネル２３を介してスイッチングマトリクス２４に供給される。
【００１５】
更に、ハードディスク１１は、デマルチプレクサ１２及びマルチプレクサ１６と共に、直列又は並列バス２２により制御される。
図１による配置の動作方法を図３と共に説明する。図３には、ビデオ・オン・デマンド・サービスの利用者の一人が、自分に割当てられた戻りチャネル２８を介して制御装置１７に高速サーチ（早送り）の要求を送信した場合が示される。特に、上記の要求は、その利用者に送信されたフィルムが標準の再生動作の２倍の速度で早送りされるべき場合に関係する。上記の要求が制御装置１７で受信された後、制御装置１７は、所望の番組が記憶されたハードディスク１１にその番組を２倍の速度でハードディスク１１から読み出すことを指令する。制御装置は、更に、ハードディスクに割当てられたデマルチプレクサ１２に、対応する番組又はフィルムを先に割当てられたデータライン１３ではなく、データライン１５に転送するよう指令する。制御装置１７は、更に、マルチプレクサ１６に、高速に読み出されたデータが存在する対応したデータチャネル１５を復号化器１８に供給することを指令する。更に、制御装置１７は、得られたデータを標準の再生動作の２倍の速度で処理することを復号化器１８に指令する。例えば、復号化器のクロック周波数を対応して２倍に増加させることにより、復号化器１８の動作速度の２倍の増加が得られる。制御装置１７は、更に、別の指令を副標本化器１９に伝達する。副標本化器１９に、入力で得られる復号化されたビデオデータから１枚おきの画像を符号化器に送る指令が通知される。発生した他の全てのビデオデータは抑制される。制御装置１７は、次にビデオデータを符号化しなければならない旨を復号化器２１に通知する更なる指令を使用する。
【００１６】
制御装置１７の更なる指令はスイッチングマトリクスに供給される。この指令は、トリックモード（２倍速の高速早送り）を要求した利用者のためのデータをデータチャネル２３から得るべき旨をスイッチングマトリクス２４に通知するため使用される。
選択されたハードディスク１１からビデオデータを２倍の速度で読み出すためには、ハードディスク及びデマルチプレクサまでの対応したデータ伝送ラインが、依然として制限のないデータ伝送容量を有する必要がある。
【００１７】
対応するハードディスク１１から２倍の速度で読み出されたビデオデータのシーケンスは、図３の上部に示される。上記のビデオデータは復号化器１８で全て復号化される。その結果として、復号化されたビデオデータが復号化器１８の出力で得られる。１画像毎に同一のデータの量が生じる。一つおきの画像だけが副標本化器から符号化器２１に送られる。符号化器２１は、送られてきたビデオデータだけを符号化する。符号化はＭＰＥＧ規格に従って行われる。復号化器２１の出力に得られるシーケンスは、図７に示された符号化画像の同一のシーケンスである。シーケンスは図３の下部に示される。
【００１８】
図４は、ビデオ・オン・デマンド・サービスの利用者が、標準の再生速度の４倍の速度の高速早送り動作を望む場合に関係する。対応して選択された番組のビデオデータは、ハードディスクから４倍の速度で読まれる。ビデオデータは、復号化器１８において４倍の速度で復号化される。副標本化器１９において、三つおきの画像だけが符号化器２１に送られる。符号化器２１は、標準の再生速度で再び現れる画像を符号化する。得られた画像シーケンスの中のシーケンスは、図４の下部に示される。
【００１９】
図５は、ビデオ・オン・デマンド・サービスの利用者が、１２倍の再生速度の早送り動作を望む場合に関係する。この場合、対応するビデオデータが、１２倍の速度でハードディスクから読まれ、復号化器１８により１２倍の速度で復号化される。副標本化器１９において、１２番目毎の画像だけが選択され、符号化器２１に送られる。得られた画像のシーケンスは、図５の下部に示される。勿論、上記の方法は、図７に示された画像シーケンスとは異なる画像シーケンスと共に利用しても構わない。
【００２０】
トリックモードの高速巻戻しを行うため、バッファ２０が副標本化器１９に設けられる。標準の再生動作の再生速度の３倍の高速巻戻しは、以下の通り機能する。前提条件として、ビデオデータは、図７に示された画像シーケンスと共にハードディスクに記憶される。巻戻しモードにおいて、１２枚の連続的な画像のビデオデータは、常に３倍の速度でハードディスクから読み出され、復号化器１８により３倍の速度で復号化される。１２枚全部の連続的な画像の復号化されたビデオデータは、バッファ２０に集められる。最後に復号化されたビデオデータがある終わりから始めて、２枚おきの画像のビデオデータは、符号化器２１に送られる。従って、逆の時間順の副標本化が行われる。符号化器２１は、上記の例に関し説明したように、完全に通常通り動作する。
【００２１】
最初の１２枚の画像が処理された後、時間順に先の１２枚の画像がハードディスクから読み出され、復号化され、バッファに書き込まれる。この場合のサーチ動作を避けるため、前のフレームシーケンスの先頭へのポインタが各フレームシーケンス毎にハードディスク上に記憶される必要がある。
上記のフレームシーケンスも、再び副標本化され、その順序が逆にされる。これにより、再生速度の３倍の高速巻戻しが得られる。勿論、他の再生速度の高速巻戻しが同様に実現される。この場合にも、上記方法は、図７に示された画像シーケンスとは異なる画像シーケンスと共に使用しても良いことが言える。
【００２２】
図２には本発明の第２の実施例が示される。図２にはフィルム再生装置４０が示される。この例の場合、例えば、フィルム再生装置４０は、ディジタルビデオディスクである。しかし、ディジタルビデオレコーダ、又は、ビデオデータが、例えば、ＭＰＥＧ規格に準拠して符号化形式で記憶される動画像を表わす他のタイプの再生装置でもよい。記憶装置４１は、ビデオディスク、磁気テープ、ホログラフィック記憶装置等である。同図には、切換え装置４７と、制御装置４２と、復号化器４３と、副標本化器４４と、符号化器４５とが更に示される。バッファ５１は副標本化器４４に設けられる。更に、ビデオ信号発生器４９と、制御バス４８と、通常のテレビジョンセット５０と、入力装置４６とが示される。
【００２３】
再生装置の機能を簡単に説明する。再生装置の操作者は、入力装置４６を用いて特定のトリックモードを呼び出すことができる。以下では、操作者が再生速度の６倍の高速早送りを要求した場合を考える。操作者の指令は、接続ラインを介して、入力装置４６から制御装置４２に送られる。制御装置４２は、制御バスを介して対応する指令を記憶装置４１に送る。その指令によって、制御装置４２は、データが６倍の速度で引続き読み出されるべき旨を記憶装置に通知する。制御装置４２は、同様に制御バス４８を介して、データが６倍の速度で引続き復号化されるべき旨を復号化器４３に通知する。制御装置４２は、５枚おきの復号化された画像の各ビデオデータだけが符号化器４５に送られるべき旨の指令を副標本化器４４に通知する。
【００２４】
制御装置４２はスタート指令だけを符号化器４５に通知するので、入力に現れたデータが正確な時間に処理される。最後に、制御装置４２は、別個の制御ライン５２を介して切換え装置に指令を伝達し、その結果として、記憶装置４１から読み出されたデータが復号化器４３に引続き送られる。構成部品４３、４４及び４５の動作方法は、前の実施例の構成部品１８、１９及び２１の動作方法と対応する。従って、これ以上、上記構成部品の動作の詳細な説明は行わない。
【００２５】
符号化器４５は、トリックモードの特定の要求に適合される。例えば、双方向符号化画像が生成され、符号化ビットストリームで使用されることにより、メモリ空間は節約される。更に、トリックモードの際に比較的大きいＤＣＴ（離散コサイン変換）係数を決して送信しないことにより、単純化が行われる。
符号化装置４５の出力にあるデータは、ビデオ信号発生器４９に伝搬する。ビデオ信号発生器は、ディジタルデータをビデオ信号に変換し、次いで、ビデオ信号はテレビジョンセット５０に送られる。このタイプのビデオ信号発生器は、従来から十分に良く知られている。図１の実施例と、図２の実施例の双方において、ビデオデータを記憶装置から増加した速度で読み出すことが必要である。ハードディスクが関係する場合に、高速な早送り又は巻戻し速度が得られるように、最初から特定のデータ伝送容量の空きを維持することが必要である。特に、ハードディスクの最大データ伝送容量を超えてはならない。
【００２６】
上記の欠点を回避するため、上記の方法を僅かに修正する必要がある。しかし、上記例の場合に、所望の早送り又は巻戻しの速度を提供する自由度が放棄される。特定の早送り速度、即ち、例えば、早送り速度３及び１２だけが使用される。特に、これにより、図７に示された符号化画像のシーケンスの場合に、イントラ符号化及び一方向符号化画像だけを記憶装置から読み出す必要がある。その結果として、間にある双方向符号化画像を送信する必要さえない。
【００２７】
これを実現するため、次の一方向符号化又はイントラ符号化画像を指定するポインタをイントラ符号化又は一方向符号化画像と共に記憶する必要がある。これに応じて、速度３及び１２の巻戻しに対し、前のイントラ符号化又は一方向符号化画像を指定する各ポインタを記憶する必要がある。このようにして読み出されたビデオデータは、上記の如く、復号化器１８に送られる。副標本化器１９による副標本化は必要とされないので、その結果として、副標本化器を無しで済ませてもよい。復号化器１８は、通常の再生動作の場合と同様に、標準速度で動作する。復号化された画像は、上記の如く動作する符号化器２１に直接的に送られる。しかし、イントラ符号化画像以外を切換えマトリクス２１に送信するため、復号化と次の符号化が同様に必要である。さもなければ、上記の理由のため、設置されたチャネル２７により伝送できない非常に大容量のデータが生成される。
【００２８】
しかし、本発明の第２の実施例の装置の場合には、以下、図６を参照して説明されるより多くの簡単化が行われる。図６に使用された参照番号は、図２の対応した参照番号と同じ部品を示す。従って、それらの説明は行わない。簡単化は、切換え装置４７と、復号化器４３と、副標本化器４４と、符号化器４５とを無しで済ませる点により得られる。記憶装置４１からビデオ信号発生器４９までの伝送路は、より多量の伝送能力を有するよう設計される。特に、イントラ符号化画像だけがこの伝送路を介して伝送されることを保証する必要がある。
【００２９】
制御装置４２は１個の対応する指令だけを記憶装置４１に送出し、この指令を用いて、記憶装置４１に１２倍の高速早送り又は巻戻しの場合にイントラ符号化画像だけを出力させ、或いは、３倍の高速早送り又は巻戻しの場合にイントラ符号化画像と一方向符号化画像だけを出力させる。
上記の二つの方法の組合せは、本発明の精神の範囲内にある。従って、フィルム再生装置の場合に、低い方の（例えば、２、３及び４倍の）早送り及び巻戻しの速度の実現のため最初に説明された方法を使用し、高い方の（例えば、６、９、１２、２４及び３６倍の）早送り及び巻戻しの速度に対し２番目に説明された方法を使用することが可能である。この例の場合に、３又は１２の倍数（例えば、６、９、１２、２４及び３６倍）だけが、高い方の早送り及び巻戻しの速度として実現される。
【００３０】
復号化器２５及びテレビジョンセット５０へのデータの伝送は、衛星、地上、又は、ケーブルによる案内を介して行われる。勿論、データは、テレビジョンセットの代わりにビデオレコーダ等にも送信される。
本質的に、本発明の方法は、例えば、ＣＤプレーヤのオーディオデータの高速サーチのため使用される。オーディオデータは、次に、増加した速度で記憶媒体から読み出され、増加した速度で復号化され、時間域で副標本化され、符号化器に供給される。
【図面の簡単な説明】
【図１】トリックモードの提供を含むビデオ・オン・デマンド・サービスを実現する全体配置のブロック図である。
【図２】例えば、ビデオディスク再生装置のようなフィルム再生装置のブロック図である。
【図３】本発明の方法による２倍に増大された再生速度の高速早送りの説明図である。
【図４】本発明の方法による４倍に増大された再生速度の高速早送りの説明図である。
【図５】本発明の方法による１２倍に増大された再生速度の高速早送りの説明図である。
【図６】フィルム再生装置の第２の実施例のブロック図である。
【図７】従来技術により提案された別々に符号化され画像のシーケンスを示す図である。
【符号の説明】
１０    ビデオ・オン・デマンド・サービス提供装置
１１    ハードディスク
１２    デマルチプレクサ
１３，２３    データチャネル
１４    並列又は直列バス
１５    データライン
１６    マルチプレクサ
１７，４２    制御装置
１８，２５，４３    復号化器
１９，４４    副標本化器
２０，５１    バッファ
２１，４５    符号化器
２２    直列バス
２４    スイッチングマトリクス
２６    テレビジョンセット
２７    往きチャネル
２８    戻りチャネル
４０    フィルム再生装置
４１    記憶装置
４６    入力装置
４７    切換え装置
４８    制御バス
４９    ビデオ信号発生器
５０    テレビジョンセット
５２    制御ライン
【図１】
0003916707.tif 000002
【図２】
0003916707.tif 000003
【図３】
0003916707.tif 000004
【図４】
0003916707.tif 000005
【図５】
0003916707.tif 000006
【図６】
0003916707.tif 000007
【図７】
0003916707.tif 000008